【手続補正書】
【提出日】平成20年7月2日(2008.7.2)
【手続補正１】
【補正対象書類名】明細書
【補正対象項目名】特許請求の範囲
【補正方法】変更
【補正の内容】
【特許請求の範囲】
【請求項１】  関連付けられたカード識別データを有するプリペイドカードを使用するための方法であって、
カード取引を行う時に前記カードの許可された使用者であることを確認するために、前記カードと共に使用される個人識別番号を選択する工程と、
カード処理センターに対して、前記個人識別番号、前記カード識別データ、及び金銭的価値を示すデータを通信ネットワークを介して伝送することで前記カードを有効化する工程とを有し、
前記個人識別番号、前記カード識別データ、及び前記金銭的価値データは、前記カード処理センターによってアクセス可能なカード口座に格納されており、さらに、
前記カードは、前記有効化の工程を実行した後に使用のために利用可能であることを特徴とするプリペイドカードの使用方法。
【請求項２】  前記金銭的価値の総額を支払い、かつ金銭的価値の総額によって金銭的価値データを増加させることで、前記カード口座に金銭的価値を加える工程をさらに有することを特徴とする請求項１に記載の方法。
【請求項３】  金銭的価値の総額によって金銭的価値データを減少させ、かつ前記金銭的価値の総額を前記許可されたカード使用者に対して支払うことで前記カード口座から金銭的価値を取り除く工程をさらに有することを特徴とする請求項１に記載の方法。
【請求項４】  前記カード取引は、前記カード口座への金銭的価値の付加、商品又はサービスの購入、及び現金の引き出しからなる群から選択されることを特徴とする請求項１に記載の方法。
【請求項５】  電話サービスを購入することが前記購入工程に含まれることを特徴とする請求項４に記載の方法。
【請求項６】  前記購入工程は、前記商品又はサービスのコストによって前記金銭的価値データを決定することを含むことを特徴とする請求項４に記載の方法。
【請求項７】  前記引き出し工程は、引き出し額によって前記金銭的価値データを決定することを含むことを特徴とする請求項４に記載の方法。
【請求項８】  前記購入工程は、
代理業者に対して前記カード及び購買価格を持つ品目を提示する工程と、
前記カード処理センターに対して、前記識別データ、第２の個人識別番号、及び前記購買価格を示すデータを伝送する工程と、
前記第２の個人識別番号が前記個人識別番号と等しいことを確認する工程とを有することを特徴とする請求項４にもとづく方法。
【請求項９】  前記金銭的価値が前記購買価格と等しいか、それよりも大きいことを確認する工程をさらに有することを特徴とする請求項８に記載の方法。
【請求項１０】  前記購買価格データの総額によって、前記金銭的価値データを減少させる工程をさらに含むことを特徴とする請求項９に記載の方法。
【請求項１１】  前記代理業者に対して許可を伝送する工程をさらに有することを特徴とする請求項１０に記載の方法。
【請求項１２】  前記代理業者はカードを受け入れる装置を有することを特徴とする請求項１１に記載の方法。
【請求項１３】  前記伝送工程は、前記通信ネットワークを介して伝送することを含むことを特徴とする請求項８に記載の方法。
【請求項１４】  前記許可伝送工程は、前記通信ネットワークを介して伝送することを含むことを特徴とする請求項１１に記載の方法。
【請求項１５】  前記引き出し工程は、
代理業者に対して前記カード及び引き出し総額を提示する工程と、
前記カード処理センターに対して前記カード識別データ、第２の個人識別番号、及び前記引き出し総額を示すデータを伝送する工程と、
前記第２の個人識別番号が前記個人識別番号に等しいか、又はそれよりも大きいかを確認する工程と、
前記金銭的価値が前記引き出し総額に等しいか、又はそれよりも大きいかを確認する工程と、
を有することを特徴とする請求項４に記載の方法。
【請求項１６】  前記引き出し総額データによって前記金銭的価値データを減少させる工程と、
前記許可されたカード使用者に対して、前記引き出し総額と等しい現金の総額を移すために前記代理業者に対して権限を与える工程と、
前記許可されたカード使用者に対して、前記引き出し総額と等しい現金の総額を移す工程とを、
さらに有することを特徴とする請求項１５に記載の方法。
【請求項１７】  前記代理業者は、カードを受け入れる装置を含むことを特徴とする請求項１６に記載の方法。
【請求項１８】  前記伝送工程は、前記通信ネットワークを介して伝送することを含むことを特徴とする請求項１５に記載の方法。
【請求項１９】  前記格納された個人識別番号を変える工程をさらに有することを特徴とする請求項１に記載の方法。
【請求項２０】  前記カードは、前記有効化工程が実行されるまでは無効であることを特徴とする請求項１に記載の方法。
【請求項２１】  前記金銭的価値データは代理業者に支払われた支払い総額に対応することを特徴とする請求項１に記載の方法。
【請求項２２】  前記代理業者はカードを受け入れる装置を有することを特徴とする請求項２１に記載の方法。
【請求項２３】  前記有効化工程は、事業主によって実行され、かつ前記金銭的価値データは従業員の実収入を示すことを特徴とする請求項１に記載の方法。
【請求項２４】  前記有効化工程は、贈り物寄贈者によって実行され、かつ前記金銭的価値データは贈り物総額を示すことを特徴とする請求項１に記載の方法。
【請求項２５】  前記有効化工程は製品プロモータによって実行され、かつ前記金銭的価値データはプロモーション総額を示すことを特徴とする請求項１に記載の方法。
【請求項２６】  前記有効化工程は送金者によって実行され、前記金銭的データは送金受取人に送金される総額を示すことを特徴とする請求項１に記載の方法。
【請求項２７】  前記有効化工程は事業主によって実行され、前記金銭的価値データは購入再配置出費に使用される総額を示すことを特徴とする請求項１に記載の方法。
【請求項２８】  前記通信ネットワークはインターネットであることを特徴とする請求項１に記載の方法。
【請求項２９】  関連したカード識別データを持つプリペイドカードを有効化する方法であって、
前記カード識別データで使用される個人識別番号を前記カードに割り当てる工程と、
通信ネットワークを介してカード処理センターへ前記カード識別データ、前記個人識別番号、及びカードの金銭的価値を示すデータを伝送する工程とを有し、
前記カード処理センターは、許可されたカード使用者がカード取引を行う時に前記カードの許可された使用者を確認するために、前記カード識別データ、前記個人識別番号、及びカードの金銭的価値を示すデータを格納することを特徴とするプリペイドカード有効化方法。
【請求項３０】  一括形式で複数のカードを有効化する工程をさらに有することを特徴とする請求項２９に記載の方法。
【請求項３１】  前記カードの各々を前記カードの使用者へ配る工程をさらに有することを特徴とする請求項３０に記載の方法。
【請求項３２】  前記カード口座に対して金銭的価値の総額を付加する工程をさらに有し、前記カード処理センターは前記金銭的価値の総額によって前記金銭的価値データを増加させる工程をさらに有することを特徴とする請求項３１に記載の方法。
【請求項３３】  前記カード口座に対して金銭的価値を周期的に付加する工程をさらに有することを特徴とする請求項３２に記載の方法。
【請求項３４】  前記格納された個人識別番号を変更する工程をさらに有することを特徴とする請求項２９に記載の方法。
【請求項３５】  電話サービスプロバイダにアクセスする工程と、
前記カード識別データ及び前記個人識別番号を前記電話サービスプロバイダへ送信する工程と、
をさらに有することを特徴とする請求項２９に記載の方法。
【請求項３６】  前記通信ネットワークは、インターネットであることを特徴とする請求項２８に記載の方法。
【請求項３７】  関連したカード識別データを有するプリペイドカードを使用するためのシステムであって、
前記カードから前記カード識別データを読み取り、前記カード識別データ、個人識別番号、及び金銭的価値を示すデータを伝送する端末と、
前記カード識別データ、前記個人識別番号、及び前記金銭的価値を示すデータを受信するために、通信ネットワークを介して前記端末と通信するカード処理センターとを有し、さらに、
前記カード処理センターは、カード口座に前記カード識別データ、前記個人識別番号、及び前記金銭的価値を示すデータを格納し、許可されたカード使用者がカード取引を実行しようとした時に前記個人識別番号を用いて前記カード識別データの有効性を確認することを可能とすることを特徴とするシステム。
【請求項３８】  前記カードを発行する発行者をさらに有することを特徴とする請求項３７に記載のシステム。
【請求項３９】  前記発行者は銀行を含むことを特徴とする請求項３８に記載のシステム。
【請求項４０】  一括形式で複数のカードを有効化することを特徴とする請求項３７に記載のシステム。
【請求項４１】  前記カードの各々は前記カードの使用者に配られることを特徴とする請求項４０に記載のシステム。
【請求項４２】  金銭的価値の総額は、前記金銭的価値の総額によって前記金銭的価値データを増加させることによって前記カード口座に付加されることを特徴とする請求項３７に記載のシステム。
【請求項４３】  金銭的価値は、前記カード口座に対して周期的に付加されることを特徴とする請求項４２に記載のシステム。
【請求項４４】  前記許可されたカード使用者は、前記格納された個人識別番号を変更することを特徴とする請求項３７に記載のシステム。
【請求項４５】  前記カード取引は、電話サービスを購入することが含まれることを特徴とする請求項３７に記載のシステム。
【請求項４６】  前記端末は、商品及びサービスの購買を容易にし、前記金銭的価値データは購買価格を含むことを特徴とする請求項３７に記載のシステム。
【請求項４７】  前記通信ネットワークはインターネットであることを特徴とする請求項３７に記載の方法。
【請求項４８】  関連したカード識別データを持つプリペイドカードを有効化するための方法であって、
前記カード識別データ、前記カード識別データで使用される個人識別番号、及び金銭的価値を通信ネットワークを介して受信する工程と、
前記許可されたカード使用者がカード取引を実行する時に前記カードの許可された使用者の確認を可能とするために、前記カード識別データ、前記個人識別番号、及び前記金銭的価値データを格納することによって、前記カードを有効化させる工程と、
を有することを特徴とする方法。
【請求項４９】  一括形式で複数のカードを有効化させる工程をさらに有することを特徴とする請求項４８に記載の方法。
【請求項５０】  前記カードのユーザに対して前記カードの各々を配る工程をさらに有することを特徴とする請求項４９に記載の方法。
【請求項５１】  前記金銭的価値データをカード口座に格納する工程をさらに有することを特徴とする請求項４８に記載の方法。
【請求項５２】  金銭的価値の総額によって前記金銭的価値データを増加させることで前記カード口座に対して前記金銭的価値の総額を付加することを特徴とする請求項５１に記載の方法。
【請求項５３】  前記カード口座に対して周期的に金銭的価値の総額を付加する工程をさらに有することを特徴とする請求項５２に記載の方法。
【請求項５４】  前記格納された個人識別番号を変更する工程をさらに有することを特徴とする請求項４８に記載の方法。
【請求項５５】  前記通信ネットワークはインターネットであることを特徴とする請求項４８に記載の方法。
【請求項５６】  関連したカード識別データを持つプリペイドカードを処理するための方法であって、
前記カード識別データ、前記カード識別データで使用される個人識別番号、及び金銭的価値を通信ネットワークを介して受信する工程と、
前記許可されたカード使用者がカード取引を実行する時に前記カードの許可された使用者の確認を可能とするために、前記カード識別データ、前記個人識別番号、及び前記金銭的価値データを格納することによって、前記カードを有効化させる工程と、
代理業者に対して前記カードと購買価格を有する品目とを提示する工程と、
前記カード識別データ、第２の個人識別番号、及び前記購買価格を示すデータを受信する工程と、
前記第２の個人識別番号が前記個人識別番号に等しいことを確認する工程と、
を有することを特徴とするプリペイドカードの処理方法。
【請求項５７】  前記金銭的価値は前記購買価値に等しいか、それよりも大きいことを確認する工程をさらに有することを特徴とする請求項５６に記載の方法。
【請求項５８】  前記購買価格データの総額によって前記金銭的価値データを決定する工程をさらに有することを特徴とする請求項５７に記載の方法。
【請求項５９】  前記代理業者に対して許可を送る工程をさらに有することを特徴とする請求項５８に記載の方法。
【請求項６０】  前記代理業者はカードを受け入れる装置を有することを特徴とする請求項５９に記載の方法。
【請求項６１】  前記第２の受信工程は、前記通信ネットワークを介して受信することを含むことを特徴とする請求項５６に記載の方法。
【請求項６２】  前記伝送工程は前記通信ネットワークを介して伝送することを特徴とする請求項５９に記載の方法。
【請求項６３】  前記通信ネットワークはインターネットであることを特徴とする請求項５６に記載の方法。
【請求項６４】
第１者及び第２者間の金銭の値を転送するシステムであって、
前記第１者の所有する第１のプリペイドカード、及び、前記第２者が所有するプリペイドカードが、前払い口座で関連付けられており、
前記プリペイドカードに保持される金銭の値を格納するデータ格納手段と、
前記データ格納手段と通信する第１端末であって、前記第１プリペイドカードとインターフェースして、前記前払い口座へと預金すべき金銭の値を許可することが可能な第１端末と、
前記データ格納手段と通信する第２端末であって、前記第２プリペイドカードとインターフェースして、取引処理することが可能な第２端末と、
を備えることを特徴とする、システム。
【請求項６５】
前記第２端末は、売り場（ＰＯＳ）端末である、請求項６４に記載のシステム。
【請求項６６】
前記第２端末は、ＡＴＭであり、該ＡＴＭは、前記前払い口座からキャッシュを引き下ろすのに用いることが可能である、請求項６４に記載のシステム。
【請求項６７】
前記第２端末は、代理業者端末である、請求項６４に記載のシステム。
【請求項６８】
プリペイドカード使用者による金融取引をプリペイドカードで行うシステムであって、
事前にコード化された第１のカード識別データを有する前記プリペイドカードを、関連する口座で前記プリペイドカード使用者に発行するカード発行者と、
前記プリペイドカード使用者が第１の個人識別番号を選択できるようにする端末であって、該選択は、前記プリペイドカードを有効化させることができ、前記端末は、前記関連する口座に差引残高を補充し、更に、前記端末は、前記有効化に続いて、前記金融取引と同時に、事前にコード化された第２のカード識別データ、及び該金融取引に対して前記プリペイドカード使用者によって入力された第２の個人識別番号を受信することができる、端末と、
前記端末と通信して、前記第１のカード識別データ、前記第１の個人識別番号、及び前記差引残高を格納するカード処理センタであって、前記金融取引と同時に、前記端末から、前記第２のカード識別データ及び前記第２の個人識別番号を受信し、格納した前記第１のカード識別データ及び前記第１の個人識別番号と前記事前にコード化された第２のカード識別データ及び前記入力された第２の個人識別番号との照合に基づいて、前記金融取引の有効性を確認する、カード処理センタと、
を備えることを特徴とする、システム。
【請求項６９】
前記端末は、電話及び対話型応答装置を備える請求項６８に記載のシステム。
【請求項７０】
前記金融取引の有効性は、格納した前記第１のカード識別データ及び前記第１の個人識別番号と前記事前にコード化された第２のカード識別データ及び前記入力された第２の個人識別番号との間で合致しない場合には否定される、請求項６８に記載のシステム。
【請求項７１】
前記有効化に続いて、前記端末は、前記プリペイドカード使用者が該使用者の個人識別番号を変えることができるようにする、請求項６８に記載のシステム。
【請求項７２】
前記有効化に続いて、前記端末は、前記プリペイドカード使用者が前記差引残高に値を追加することができるようにする、請求項６８に記載のシステム。
【請求項７３】
前記差引残高は、前記金融取引の値を反映するように自動調整される、請求項６８に記載のシステム。
【請求項７４】
前記金融取引は、キャッシュの引き換えを含む、請求項６８に記載のシステム。
【請求項７５】
前記金融取引は、金銭価値を別のカード保有者の口座への転送を含む、請求項６８に記載のシステム。
【請求項７６】
金融取引にてプリペイドカードを用いるシステムであって、
第１のカード識別データを有するが、前記プリペイドカードには事前に第１の個人識別番号又は値を有していない前記プリペイドカードを発行する発行者と、
使用者に前記プリペイドカードを分配し、前記第１の個人識別番号の使用者による選択に基づいて前記プリペイドカードの有効化させる端末手段であって、前記選択は前記端末手段の使用を経て発生され、前記端末手段は、さらに、前記使用者が前記プリペイドカードに値を補充することができるようにする、端末手段と、
前記端末手段から通信ネットワーク上で、前記第１のカード識別データ、前記第１の個人識別番号および前記値を受信し、当該受信した第１のカード識別データ、第１の個人識別番号および前記値からなる使用者のカード口座を確立することによって有効化させる中央処理手段と、
前記中央処理手段に接続され、第２のカード識別データ及び第２の個人識別番号を受信して、該第２のカード識別データ及び第２の個人識別番号を前記中央処理手段に転送することにより、前記金融取引を行う金融取引手段と、
前記中央処理手段に接続され、前記第１のカード識別データ及び第１の個人識別番号と前記第２のカード識別データ及び第２の個人識別番号とを比較することによって前記金融取引の有効性を確認する確認手段と、
を備える、システム。
【請求項７７】
前記確認手段は、前記第１のカード識別データ及び第１の個人識別番号と前記第２のカード識別データ及び第２の個人識別番号との照合と、前記口座が前記金融取引をカバーするのに十分な値を有する旨の決定に基づいて前記金融取引を確認する、請求項７６に記載のシステム。
【請求項７８】
前記プリペイドカードは、任意の単位で購入することができ、前記プリペイドカードを再補充可能であり、これにより前記使用者が前記プリペイドカードの値を補充できるようにする、請求項７６に記載のシステム。
【請求項７９】
前記個人識別番号は、前記プリペイドカード上には現れない、請求項７６に記載のシステム。
【請求項８０】
前記禁輸取引は、物品、及び電話サービスを含むサービスの購入を含む、請求項７６に記載のシステム。
【請求項８１】
前記使用者の口座に、前記使用者の雇用から生じる金銭価値を預金する自動預金手段を更に備える、請求項７６に記載のシステム。
【請求項８２】
複数のカードが、同一の口座に対して発行される、請求項７６に記載のシステム。